(57)【要約】      （修正有）【課題】発電量が安定で、作製が容易な中敷き型電子機器を提供する。【解決手段】中敷き型電子機器は、中敷き本体１と、中敷き本体に埋め込まれた、外気吸入手段２と、外気蓄積手段３と、熱電発電手段４と、排気手段５とを有する。中敷き本体は、靴の中底の上に配置するシート状の部材である。外気吸入手段は、外気を吸入して、吸入した外気を空気蓄積手段に送る。外気蓄積手段は、外気吸入手段から受け取った外気を蓄積する。熱電発電手段は、中敷き本体の上面と熱交換を行う第１の熱交換部４ａと、外気蓄積手段に蓄積された外気と熱交換を行う第２の熱交換部４ｂと、第1の熱交換部と第２の熱交換部との温度差に起因して電力を発生する熱電発電素子４ｃとを有する。排気手段は、外気蓄積手段に蓄積された外気を、中敷き本体の外部に排気する。【選択図】図１
2020156976.tif 000002
【特許請求の範囲】
【請求項１】
靴の中底の上に配置するシート状の中敷き本体と、
前記中敷き本体に埋め込まれた、外気吸入手段と、外気蓄積手段と、熱電発電手段と、排気手段とを有し、
前記外気吸入手段は、外気を吸入して、吸入した前記外気を前記外気蓄積手段に送り、
前記外気蓄積手段は、受け取った外気を蓄積し、
前記熱電発電手段は、前記中敷き本体の上面と熱交換を行う第１の熱交換部と、前記外気蓄積手段に蓄積された外気と熱交換を行う第２の熱交換部と、前記第1の熱交換部と前記第２の熱交換部との温度差に起因して電力を発生する熱電発電素子とを有し、
前記排気手段は、前記外気蓄積手段に蓄積された外気を前記中敷き本体の外部に排気する
ことを特徴とする中敷き型電子機器。
【請求項２】
前記熱電発電手段が発電した電力を蓄電する蓄電手段を有する
ことを特徴とする請求項１に記載の中敷き型電子機器。
【請求項３】
前記蓄電手段が、
蓄電池と、
前記熱電発電手段から前記蓄電池に流れる電流の向きを制御するリレーと、
前記外気蓄積手段または前記第１の熱交換部の少なくとも一方を計測する温度センサーと、
前記温度センサーの出力に基づいて、前記リレーを制御する制御回路と、
有することを特徴とする請求項２に記載の中敷き型電子機器。
【請求項４】
前記外気吸入手段が、前記中敷き本体の内部に設けられた空間から成る空気室を有し、
前記外気蓄積手段が、前記中敷き本体の内部に設けられた空間から成る空気保存室を有し、
前記空気室には、外部と前記空気室とを連通する吸気通路と、前記空気室と前記空気保存室とを連通する送気通路とが接続され、
前記空気室が弾性変形すると、前記空気室が外気を吸入し前記送気通路に前記外気を送気するように、前記空気室と前記吸気通路の間と、前記空気室と前記送気通路との間に、それぞれ逆流防止弁を設けている
ことを特徴とする請求項１乃至３のいずれか一項に記載の中敷き型電子機器。
【請求項５】
前記空気室が、
前記中敷き本体の踵部分に設けられている
ことを特徴とする請求項４に記載の中敷き型電子機器。
【請求項６】
前記空気室が、
前記中敷き本体の、指から指球が当たる部分に設けられている
ことを特徴とする請求項４または５のいずれか一項に記載の中敷き型電子機器。
【請求項７】
前記第２の熱交換部が、
前記空気保存室の中に露出した面に凹凸形状を有している
ことを特徴とする請求項４乃至６のいずれか一項に記載の中敷き型電子機器。
【請求項８】
熱電変換素子が、ゼーベック効果利用素子を有する
ことを特徴とする請求項１乃至７のいずれか一項に記載の中敷き型電子機器。
【請求項９】
複数の前記ゼーベック効果利用素子が直列に接続されている
ことを特徴とする請求項８に記載の中敷き型電子機器。
【請求項１０】
靴の中底の上に配置するシート状の中敷き本体に、外気吸入手段と、外気蓄積手段と、熱電発電手段と、排気手段とを、埋め込み、
前記外気吸入手段で、外気を吸入して、吸入した前記外気を前記外気蓄積手段に送り、
前記外気蓄積手段で、受け取った外気を蓄積し、
前記熱電発電手段で、前記中敷き本体の上面と熱交換を行う第１の熱交換部と、前記外気蓄積手段に蓄積された外気と熱交換を行う第２の熱交換部と、前記第1の熱交換部と前記第２の熱交換部との温度差に起因して電力を発生し、
前記排気手段は、前記外気蓄積手段に蓄積された外気を前記中敷き本体の外部に排気する
ことを特徴とする中敷き型電子機器の制御方法。
【発明の詳細な説明】
【技術分野】
【０００１】
本発明は、中敷き型電子機器および中敷き型電子機器の制御方法に関する。
【背景技術】
【０００２】
高齢者の徘徊や子供の迷子などによる事故を防ぐための見守り手段として、無線で位置情報を発信する装置を持たせる方法がある。しかし、この方法においては、見守り対象者が確実に装置を身に着けている必要があるため、スマートフォンなどを用いた場合、装置を持ち歩くのを忘れたり、装置を落としたりといった事態が発生する恐れがある。一方で、確実に装置を身に着けることを重視してバンドなどで体に巻き付ける方法は、見守り対象者が不快感を覚える可能性がある。そのため、装置を確実に身に着けることと、見守り対象者がそのことを意識しなくてもよいことの両立が課題である。
【０００３】
このような課題の対策として、装置を靴の内部に設置するインソール（中敷き）に搭載し、靴を履くだけで装置を身に着けられるようにする方法や、装置を靴の外側上部に取り付ける方法がある。
【０００４】
靴に見守り用の装置を搭載する従来の手法としては、中敷きに位置情報取得部、記憶部、送信部、蓄電部、制御部を内蔵したもの（特許第５９７８４７７号）や、靴のかかと内にＧＰＳ受信機、通信部、制御部、携帯電話を内蔵したもの（特開２０００−２８６９８）や、靴の外側にＧＰＳ測位装置を収納できる装飾部材を取り付けるもの（登実第３１６１１３７号）がある。
【先行技術文献】
【特許文献】
【０００５】
【特許文献１】特許第５９７８４７７号公報
【特許文献２】特開２００６−１９２２１８号公報
【発明の概要】
【発明が解決しようとする課題】
【０００６】
しかしながら、特許文献１の技術には、安定して電力を供給できないという問題点があった。これは、歩行運動による振動の大きさが足の踏み込む力に依存し、この力のバラツキによって、発生する電力にばらつきがあるためである。
【０００７】
また特許文献２の技術では、変形するポンプに圧電被膜を貼り付けているため、圧電被膜が壊れやすいという問題があった。また電磁誘導を利用する方法では、コイルと磁石とを所定の間隔で配置する必要があり、中敷きの狭いスペースに、これらを適切に支持する構造を形成するのが難しいという問題があった。
【０００８】
本発明は、上記の問題に鑑みてなされたものであり、発電量が安定で、作製が容易な中敷き型電子機器を提供することを目的としている。
【課題を解決するための手段】
【０００９】
上記の課題を解決するため、本発明の中敷き型電子機器は、中敷き本体と、中敷き本体に埋め込まれた、外気吸入手段と、外気蓄積手段と、熱電発電手段と、排気手段とを有する。中敷き本体は、靴の中底の上に配置するシート状の部材である。外気吸入手段は、外気を吸入して、吸入した外気を空気蓄積手段に送る。外気蓄積手段は、外気吸入手段から受け取った外気を蓄積する。熱電発電手段は、中敷き本体の上面と熱交換を行う第１の熱交換部と、外気蓄積手段に蓄積された外気と熱交換を行う第２の熱交換部と、第1の熱交換部と第２の熱交換部との温度差に起因して電力を発生する熱電発電素子とを有する。排気手段は、外気蓄積手段に蓄積された外気を、中敷き本体の外部に排気する。
【発明の効果】
【００１０】
本発明の効果は、発電量が安定で、作製が容易な中敷き型電子機器を提供できることである。
【図面の簡単な説明】
【００１１】
【図１】第１の実施形態の中敷き型電子機器を示すブロック図である。
【図２】第２の実施形態の中敷き型電子機器を示す平面図である。
【図３】第２の実施形態の中敷き型電子機器を示す断面図である。
【図４】第２の実施形態の中敷き型電子機器の動作を示す断面図である。
【図５】第２の実施形態の中敷き型電子機器の蓄電手段を示すブロック図である。
【図６】第３の実施形態の中敷き型電子機器の内部構造を露わにした状態を示す平面図である。
【図７】第３の実施形態の中敷き型電子機器の内部構造を露わにした状態を示す平面図である。
【図８】第３の実施形態の中敷き型電子機器を示す断面図である。
【図９】第４の実施形態の中敷き型電子機器の構成例を示す斜視図である。
【図１０】第４の実施形態の中敷き型電子機器の別の構成例を示す斜視図である。
【発明を実施するための形態】
【００１２】
以下、図面を参照しながら、本発明の実施形態を詳細に説明する。但し、以下に述べる実施形態には、本発明を実施するために技術的に好ましい限定がされているが、発明の範囲を以下に限定するものではない。なお各図面の同様の構成要素には同じ番号を付し、説明を省略する場合がある。
【００１３】
（第１の実施形態）
図１は、第１の実施形態の中敷き型電子機器を示すブロック図である。中敷き型電子機器は、中敷き本体１と、中敷き本体に埋め込まれた、外気吸入手段２と、外気蓄積手段３と、熱電発電手段４と、排気手段５とを有する。
【００１４】
中敷き本体１は、靴の中底の上に配置するシート状の部材である。外気吸入手段２は、外気を吸入して、吸入した外気を空気蓄積手段に送る。外気蓄積手段３は、外気吸入手段２から受け取った外気を蓄積する。
【００１５】
熱電発電手段４は、中敷き本体１の上面１ａと熱交換を行う第１の熱交換部４ａと、外気蓄積手段３に蓄積された外気と熱交換を行う第２の熱交換部４ｂとを有する。また、第1の熱交換部４ａと第２の熱交換部４ｂとの温度差に起因して電力を発生する熱電発電素子４ｃを有する。排気手段５は、外気蓄積手段３に蓄積された外気を、中敷き本体１の外部に排気する。
【００１６】
以上の構成とすることにより、故障しにくく、作製が容易な発電機構を有する中敷き型電子機器を提供することができる。
【００１７】
（第２の実施形態）
図２は、第２の実施形態の中敷き型電子機器１００を示す平面図である。また、図３は、図２のＡ−Ａ´における断面を示す断面図である。中敷き型電子機器１００は、中敷き本体１０と、空気室２０と、空気保存室３０と、熱電発電装置４０と、蓄電手段５０とを有している。また、空気室２０が外気を取り込むための吸気通路２１と、空気保存室から、取り込んだ外気を排出するための排気通路６０とを有している。なお、図に示した各部の寸法は、説明を分かりやすくするために定めたものであり、実際の中敷き型電子機器１００における各部の寸法は、これらの図に示した寸法に限定されるものではない。特に図３では、中敷き型電子機器１００の厚みを、前後方向の長さに比べて、実際よりも大きく描いている。
【００１８】
中敷き本体１０は、靴の中底の上に敷かれる足型を有するシート状の部材である。中敷き本体１０の、空気室２０の上部に当たる部分は、例えば、ゴムやシリコンなどの弾性材料で構成し、その他の部分は、例えば、中敷き本体１０に含まれる構造が破壊されない程度の剛性を持つ材料で構成する。具体的には、プラスチックなどの樹脂材料や、硬めのゴムや、シリコンなどの弾性材料、発泡スチロールなどの有機材料、紙や布などの繊維質を押し固めた繊維材料や木材・金属などの変形を受けにくい材料などを用いることができる。
【００１９】
空気室２０は、例えば歩行時に最も荷重がかかり、変位の大きな踵部分に配置することができる。また、図示はしていないが、同様の理由で、足の前方、例えば、母指球の近傍に配置することもできる。空気室の一端には外部と連通する吸気通路２１が接続し、吸気通路２１と空気室２０の境界部には、吸気口１１から外気を吸入し、逆方向に外気が移動することを防ぐ逆流防止弁２３を設けている。空気室２０に吸気された外気は、送気通路２２を通って空気保存室３０に送られる。なお、吸気通路２１、送気通路２２、排気通路６０などの通路は、例えば樹脂製のチューブを用いて構成することができる。
【００２０】
空気保存室３０は、中敷き本体１０の内部に設けられた所定の容量を持つ空間で、送気通路２２から受け入れた外気を保存して、後に、排気通路６０に排気する。排気される空気は、排気通路６０を通り、排気口１２から外部に排出される。そして、空気保存室３０の上面側には熱電発電装置４０が配置されている。空気保存室３０の中には、ヒートシンク４２が配置されている。ヒートシンク４２をフィン形状にすると、空気と触れる面積が増えて、熱交換効率を高くすることができる。また、図２に例示したように、送気通路２２側の端部および、排気通路６０側の端部を扇形とすると、空気保存室３０の面積を広く取りやすくなり、さらに熱交換効率を高くすることができる。空気保存室３０は、例えば、歩行時に荷重がかかりにくく、変位の小さい土踏まず部分に配置することができる。
【００２１】
熱電発電装置４０は、中敷き本体１０の上面側と熱交換を行う第1の熱交換部４１と、空気保存室３０に保存された外気と熱交換を行う第２の熱交換部としてのヒートシンク４２とを有する。そして、第１の熱交換部４１とヒートシンク４２との温度差によって電力を発生する熱電変換素子４３を有している。熱電変換素子４３は、例えば、２種類の異なる金属または半導体を接合し、両端に温度差を生じさせると起電力が生じるゼーベック効果を利用した素子である。熱電変換素子４３は、例えば、複数のゼーベック素子を直列に接続した構造とすることができる。直列接続することで、熱電変換素子４３の出力電圧を高めることができる。
【００２２】
上記したように、本実施形態では、靴内部に蓄積された熱を第１の熱交換部４１で熱交換し、空気保存室３０に導入された外気とヒートシンク４２が熱交換し、第１の熱交換部４１とヒートシンク４２の温度差を用いて発電する。ヒートシンク４２は、熱電変換素子４３と外気との熱交換を行うものであり、例えば、伝熱特性の良いアルミニウム、鉄、銅などの金属材料を用いるのが好適である。また、その形状を、表面積が広くなるような形状、例えばフィンと呼ばれる板を持つ形状、棒の生えた剣山状の形状、蛇腹状の形状とすることができる。こうして、ヒートシンク４２と外気との接触面積を増やし、熱交換効率を高めると、同じ発電量を得るために必要な外気の量を少なくすることができる。その結果、空気室２０が小型化し、中敷き本体１０の厚みを減らすことができる。なお、第１の熱交換部４１は、中敷き本体１０の上面側に、中敷き本体１０と同じ素材を含んでいても良い。すなわち、上面側から見た時に、中敷き本体１０の上面が、一様な材料で出来ているように見える形でも良い。
【００２３】
熱電発電装置４０が発電した電力は、蓄電手段５０に蓄電する。電力を効率よく蓄えるために、蓄電手段５０は、例えば、図４にブロック図を示すような構成とすることができる。蓄電手段５０は、温度センサー５１と、リレー５２と、昇圧回路５３と、制御回路５４と、蓄電素子５５とを有している。
【００２４】
熱電変換素子４３による発電は、熱電変換素子４３の両端の温度差が逆転すると流れる電流の向きが逆となる。そこで、制御回路５４が制御したリレー５２を通すことで、流れる電流の向きを一方向に制御する。こうすることで、中敷き本体１の上に接触する足の温度（体温）と外気温の高低が逆転した場合においても蓄電可能としている。制御回路５４は、温度センサー５１の出力に基づいて、リレー５２を制御する。リレー５２の制御は、例えば、人肌の温度を基準として電流方向を切り替えるものとする。熱電変換素子４３により発電された電力は電圧が低いため、昇圧回路５３により電圧を昇圧する。昇圧回路５３には、ＤＣ−ＤＣコンバーターなどを用いる。昇圧された電力は、蓄電素子５５に蓄積される。蓄電素子５５は、二次電池や大容量コンデンサーなどからなる回路であり、発電された電力を蓄電することができるものであれば良い。
【００２５】
次に中敷き型電子機器の動作について説明する。図５は、動作を示す断面模式図である。中敷き型電子機器１００は、中敷き型電子機器１００を中底に装着した靴を、ユーザーが装着して（履いて）、ユーザーが歩行することにより動作する。ユーザーが歩行して、空気室２０の上部に荷重が掛かると、図５（ａ）のように、空気室２０が縮むように弾性変形する。この時、吸気通路側２１側の逆流防止弁２３が閉じて、吸気側には空気が移動しないようになる。一方、空気保存室３０側の逆流防止弁３１が開放して、空気室２０に取り込まれていた外気は、空気保存室３０に流入する。そして空気保存室３０に保持されていた空気は、排気通路６０に向かって押し出される。排気通路６０に押し出された空気は、排気口１２から外部に排出される。
【００２６】
次に、空気室２０の上部から荷重が抜けると、図５（ｂ）に示すように、空気室２０の体積が膨張し、負圧が発生する。この負圧により、空気保存室３０側の逆流防止弁３１が閉じ、吸気通路２１側の逆心弁２３が開放する。この動作により、空気室２０に新しい外気が取り込まれる。
【００２７】
上記の動作を繰り返すことにより、歩行の度に、外気が空気室２０に取り込まれ、空気保存室３０に送られ、元の空気と入れ替わる。これにより、空気保存室３０に配置されたヒートシンク４２の温度は、外気の温度に収束する。一方で、第1の熱交換部４１の温度は、ユーザーの足裏の温度（体温）に収束する。したがって、熱電発電素子４３の両端には、体温と外気温の差の分の温度差が生じる。熱電発電素子４３は、この温度差によって発電を行う。
【００２８】
熱電発電素子４３で発電された電力は、蓄電手段５０に蓄電される。温帯気候では、多くの場合、外気温より体温の方が高く、それに従った向きの電圧が発生する。しかしながら、猛暑日や熱帯気候のもとでは、外気温＞体温となる場合がある。このような場合は、熱電発電素子４３から蓄電手段５０に流れる電流の向きが逆転する。しかし、先に述べたように、蓄電手段５０がリレー５２を制御して、電流の方向を逆転するので、蓄電を継続することができる。
【００２９】
なお、図２に示すように、空気保存室３０の、送気通路２２との接続部および排気通路６０との接続部を扇形にして、両通路に比べて空気保存室３０の幅が広くなるようにしておくと、取り込んだ外気を有効に活用することができる。これは、熱交換に寄与しない空気通路の体積、すなわちデッドボリュームを小さくしつつ、ヒートシンク４２の幅を広くすることができるためである。
【００３０】
以上説明した工夫により、本実施形態では、同じ発電量を得るために必要な空気室２０の容量を小さくしている。空気室２０のサイズが小さいほど、歩行時の中敷き本体１０の弾性変形が小さいので、ユーザーが感じる刺激は弱くなる。一方、空気室２０の容量が大きいと、中敷き本体１０の弾性変形が大きいので、歩行時にユーザーが足部に感じる刺激が強くなる。
【００３１】
以上説明したように、本実施形態によれば、発電を安定して行う中敷き型電子機器を構成することができる。また、ユーザーが感じる刺激の小さい中敷き型電子機器を構成することができる。
【００３２】
（第３の実施形態）
図６は、第３の実施形態の中敷き型電子機器１０１の内部構造を露わにした状態を示す平面図である。中敷き型電子機器１０１では、第２の実施形態の中敷き型電子機器１００に加えて、中敷き本体１０の前側にも空気室２０ｂを設けている。またそれに伴い、吸気通路１１ｂと、逆流防止弁２３ｂと、送気通路２２ｂとを設けている。以下、詳細について説明する。
【００３３】
本実施形態の中敷き型電子機器１０１は、中敷き本体１０の踵近傍に空気室２０ａを有し、吸気口１１ａ、逆流防止弁２３ａ、空気室２０ａ、送気通路２２ａ、逆流防止弁３１ａを介して、空気保存室３０ａに至る第１の吸気ルートが形成されている。加えて、吸気口１１ｂ、吸気通路２１ｂ、逆流防止弁２３ｂを介して、空気保存室３０ａに至る第２の吸気ルートが形成されている。空気保存室３０ａには排気通路６０ａが接続し、排気口１２ａに至る排気ルートが形成されている。
【００３４】
また、第２の実施例と同様に、中敷き本体１０の中心部分（土踏まず部分）に空気保存室３０ａを設け、空気保存室３０ａに熱電発電装置４０を配置している。空気保存室３０ａで熱電発電装置４０のヒートシンクが、空気保存室３０ａの外気と熱交換を行い、熱電発電装置４０の第１の熱交換部が、ユーザーの足と熱交換を行うことは、第２の実施形態と同様である。そして熱電発電装置４０で生成された電力は、蓄電手段５０に蓄えられる。すなわち、空気室と吸気経路が２つある以外は、第２の実施形態と同様であり、動作も同様である。
【００３５】
中敷き型電子機器１０１をセットした靴をユーザーが装着して歩行運動を行うと、ユーザーの体重が足の踵部から足先（足指）部、または足先（足指）部から足の踵部へ移動する。これらが交互に繰り返されるため、空気室２０ａと空気室２０ｂとが交互に弾性変形を繰り返し、空気保存室３０ａが新たな外気を取り込む速度を速くすることができる。このため、空気保存室３０ａに配置された熱電発電装置４０のヒートシンクの温度が、外気温に収束するまでの時間を短くすることができる。
【００３６】
（第４の実施形態）
図７は、第４の実施形態の中敷き型電子機器１０２の内部が露わになった状態を示す平面図である。また図８は、図７のＢ−Ｂ´における断面図である。中敷き型電子機器１０２は、中敷き本体１０と、中敷き本体１０に埋め込まれた、空気室２０ｃと、空気保存室３０ｃと、ヒートシンク４３ｃと、ヒートパイプ７０と、蓄電手段５０とを有している。
【００３７】
また、空気室２０ｃには、吸気口１１ｃに通じる吸気通路２１ｃが接続している。空気室２０ｃと吸気通路２１ｃの接続部には、空気室２０ｃが膨張した時の負圧で開く逆流防止弁２３ｃを設けている。また、空気室２０ｃには、排気口１２ｃに通じる排気通路６０ｃが接続している。空気室２０ｃと排気通路６０ｃの接続部には、空気室２０ｃが収縮した時に陽圧で開く逆流防止弁６１ｃを設けている。
【００３８】
空気保存室３０ｃにはヒートシンク４２ｃを配置している。そして、図８に示すように、ヒートシンク４２ｃには、ヒートパイプ７０が接続し、これが熱電発電装置４０ｃに接続している。図８に示すように、ヒートパイプ７０は、ヒートシンク４２ｃと、熱電発電装置４０ｃの第３の伝熱部４３ｄとを熱的に接続している。ユーザーの歩行に伴って、空気室２０ｃが膨張収縮することで、空気保存室３０ｃが外気で満たされ、ヒートシンク４２ｃの温度は、外気温に収束する。ヒートシンク４２ｃの温度は、ヒートパイプ７０を通じて、第３の伝熱部４２ｄに伝達する。したがって、熱電変換素子４３ｃは、第２、第３の実施形態と同様に、外気温とユーザーの足の温度との温度差で発電する。
【００３９】
ヒートパイプ７０は、パイプ部分を銅などの金属で成型し、内部にウィックと呼ばれる金属ワイヤおよび水などの作動液を配して構成されている。尚、ヒートパイプ７０が第３の伝熱部４２ｄおよびヒートシンク9と接着する部分は、薄くフラットに加工し、接着面積を広くとることが望ましい。
【００４０】
第２、第３の実施形態では、ヒートシンクを熱電変換素子の下部に配置していたので、その分の厚さが必要であった。一方、本実施形態では、嵩の大きいヒートシンク４２ｃを熱電発電装置４０ｃから話して配置しているので、中敷き本体１０の厚さを薄くすることができる。
【００４１】
（第５の実施形態）
第２〜４の実施形態では、中敷き本体の踵後端に吸気口および排気口を設けていた。この構成でも、外気の取り込み、排気は可能であるが、ユーザーが、中敷き型電子機器を備えた靴を装着した場合、外気の通路が足と靴の隙間だけになる。すなわち外気の通り道が狭くなる。本実施形態では、これを改善する方法について説明する。
【００４２】
図９は、本実施形態の中敷き型電子機器１０３を示す斜視図である。中敷き型電子機器１０３は、吸気通路２１ｄに接続し中敷き本体１０の踵から上方に延伸する吸気管１３を有している。また。排気通路６０ｄに接続し、中敷き本体１０の踵から上方に延伸する排気管１４を有している。吸気管１３、排気管１４を用いて、吸気口１１ｄおよび排気口１２ｄを靴の外に出すことで、外気の取り込み効率を向上することができる。
【００４３】
図１０は、本実施形態の中敷き型電子機器の別の例を示す斜視図である。中敷き型電子機器１０４は、中敷き本体１０ｅが、踵の後端から上方に伸びる延長部１５を有している。延長部１５は、図９の中敷き型電子機器１０３ではむき出しとなっていた吸気管１３ｅと排気管１４ｅとを内包する。延長部１５は、例えば中敷き本体１０ｅと同様のクッション性を有する素材で形成することができる。延長部１５で、吸気管１３ｅと排気管１４ｅとを支持および保護しているため、吸気、排気の確実性を向上することができる。
【００４４】
以上、上述した実施形態を模範的な例として本発明を説明した。しかしながら、本発明は、上記実施形態には限定されない。即ち、本発明は、本発明のスコープ内において、当業者が理解し得る様々な態様を適用することができる。
【符号の説明】
【００４５】
１、１０    中敷き本体
２    外気吸入手段
３    外気蓄積手段
４    熱電発電手段
５    排気手段
１１    吸気口
１２    排気口
２０    空気室
２１    吸気通路
２２    送気通路
２３、３１    逆流防止弁
３０    空気保存室
４０    熱電発電装置
４１    第１の熱交換部
４２    ヒートシンク
４３    熱電変換素子
５０    蓄電手段
６０    排気通路
７０    ヒートパイプ
１００、１０１、１０２、１０３、１０４    中敷き型電子機器
【図１】
2020156976.tif 000003
【図２】
2020156976.tif 000004
【図３】
2020156976.tif 000005
【図４】
2020156976.tif 000006
【図５】
2020156976.tif 000007
【図６】
2020156976.tif 000008
【図７】
2020156976.tif 000009
【図８】
2020156976.tif 000010
【図９】
2020156976.tif 000011
【図１０】
2020156976.tif 000012